(57)【特許請求の範囲】
【請求項１】
天井内に配置された給水用枝管と天井ボードの開口穴に配置されるスプリンクラーヘッドとの間を巻出し配管によって接続するスプリンクラー消火設備の巻出し配管支持構造に於いて、
前記巻出し配管のスプリンクラーヘッド側管端部の垂直部側面に、天井内のスラブ面に吊り下げ固定された吊りボルトを挿入して貫通する穴からなる貫通部を一体に形成すると共に、該貫通部の側面に設けられ貫通部に挿入された吊りボルトの側面ネジ部に接触して吊りボルトを貫通部に固定するねじ部でなる第１固定部と、
前記吊りボルトの天井スラブ面に対する第２固定部を構成する、ボルト吊り下げ位置を水平方向に位置調整自在な、一端に前記吊りボルトをねじ込み固定するねじ穴を備えると共に他端に天井スラブ面にねじ込み固定される固定ボルトを挿通する長穴を備えた調整プレート部材からなる水平調整機構と、
を設けたことを特徴とするスプリンクラー消火設備の巻出し配管支持構造。
【請求項２】
請求項１記載のスプリンクラー消火設備の巻出し配管支持構造に於いて、
前記巻出し配管は、前記給水用枝管側に接続されるフレキシブル管と、スプリンクラーヘッド側に接続されるエルボ継手で構成され、該エルボ継手に前記貫通部と固定部を設けて前記吊りボルトに固定支持することを特徴とするスプリンクラー消火設備の巻出し配管支持構造。
【請求項３】
請求項１記載のスプリンクラー消火設備の巻出し配管支持構造に於いて、
前記調整プレート部材の前記ねじ穴を略台形状の突出部に形成し、前記長穴が形成された前記調整プレート部材の天井スラブ面側に滑り止めのための凹凸部を形成したことを特徴とするスプリンクラー消火設備の巻出し配管支持構造。
【発明の詳細な説明】
【０００１】
【発明の属する技術分野】
本発明は、高層住宅等のような天井裏の使用空間の高さが抑えられた建物に好適なスプリンクラー消火設備の巻出し配管支持構造に関する。
【０００２】
【従来の技術】
従来においては、例えば図７に示すようなスプリンクラー消火設備の配管支持構造がある。図７において、天井ボード１０１と天井スラブ面１０２の間の天井内の空間１０３には給水用枝管１０４が配管され、この給水用枝管１０４の途中に設けられるチーズ１０５の取出口に巻出し配管となるフレキシブル管１０６を接続し、このフレキシブル管１０６の先端にスプリンクラーヘッド１０７を接続している。給水用枝管１０４は、天井スラブ面１０２に打ち込んだインサート１０８にねじ込んだ吊りボルト１０９の吊りバンド１１０により支持される。また、フレキシブル管１０６は先端側で、固定金具１１１により取付バー１１２に支持固定される。天井ボード１０１の裏面には、複数のエムバー１１３が固定され、エムバー１１３はクリップ１１４を介してチャンネル１１５に連結され、取付バー１１２はこのチャンネル１１５に固定されている。スプリンクラーヘッド１０７は、このような支持固定状態で、天井ボード１０１のヘッド取付穴１１６の位置に配置され、最後に天井ボード１０１の下側からヘッド取付穴１１６の隙間に対しシーリングプレート１１７を嵌め入れ、図７のような取付状態とする。
【０００３】
このようなスプリンクラー消火設備の殆どは、オフィスビルやデパート等の建物に設置されているが、近年、高層の共同住宅についても、高層階で火災が発生した場合の消防による消火活動が困難なことに鑑み、スプリンクラー消火設備の設置か強く望まれ、法的にもスプリンクラー消火設備の設置が整備されてきている。
【０００４】
【発明が解決しようとする課題】
しかしながら、高層住宅の場合にあっては、建物の高さが不必要に高くなることを抑えるため、天井裏の高さが低く設定されることが多く、高い階ほど天井裏の高さを低くしている場合もあり、例えば天井裏の高さが２００ｍｍ程度の場合もある、これに対し、図７に示すような従来の施工構造にあっては、配管径や配管支持構造などにより少なくとも２５０ｍｍ程度天井裏の高さが必要であり、高層住宅のような狭い天井裏での配管が困難であった。勿論天井裏の高さを配管に必要な高さにすれば良いが、これでは建物全体としての高さが高くなってしまうという問題があった。
【０００５】
本発明は、このような従来の問題点に鑑みてなされたもので、スプリンクラー消火設備の設置に要求される天井裏の高さを最小限に抑えられるスプリンクラー消火設備の巻出し配管支持構造を提供することを目的とする。
【０００６】
【課題を解決するための手段】
この目的を達成するために、本発明は次のように構成する。
まず、本発明は、天井内に配置された給水用枝管と天井ボードの開口穴に配置されるスプリンクラーヘッドとの間を巻出し配管によって接続するスプリンクラー消火設備の巻出し配管支持構造を対象とする。
【０００７】
このような巻出し配管支持構造について本発明は、巻出し配管のスプリンクラーヘッド側管端部の垂直部側面に、天井内のスラブ面に吊り下げ固定された吊りボルトを挿入して貫通する穴からなる貫通部を一体に形成すると共に、該貫通部の側面に設けられ貫通部に挿入された吊りボルトの側面ネジ部に接触して吊りボルトを貫通部に固定するねじ部でなる第１固定部と、吊りボルトの天井スラブ面に対する第２固定部を構成する、ボルト吊り下げ位置を水平方向に位置調整自在な、一端に吊りボルトをねじ込み固定するねじ穴を備えると共に他端に天井スラブ面にねじ込み固定される固定ボルトを挿通する長穴を備えた調整プレート部材からなる水平調整機構とを設けたことを特徴とする。
【０００８】
更に、巻出し配管は、給水用枝管側に接続されるフレキシブル管と、スプリンクラーヘッド側に接続されるエルボ継手で構成され、エルボ継手に貫通部と固定部を設けて吊りボルトに固定支持される。また、調整プレート部材のねじ穴を略台形状の突出部に形成し、長穴が形成された調整プレート部材の天井スラブ面側に滑り止めのための凹凸部を形成する。
このため、本発明によれば、巻出し配管のスプリンクラーヘッド側の管端で巻出し配管を天井スラブ面に支持するので、天井内の使用空間の高さを低く抑えることができる。また、貫通部と水平調整プレートにより吊りボルトを、垂直方向及び水平方向に移動可能であるため、スプリンクラーヘッドを任意の位置に配設できると共に施工が容易である。
【０００９】
【発明の実施の形態】
図１は本発明のスプリンクラー消火設備の巻出し配管支持構造を示す説明図である。
図１において、１は天井ボード、２は天井スラブ面であり、天井ボード１のヘッド取付穴６の位置には閉鎖型のスプリンクラーヘッド３が配置される。スプリンクラーヘッド３とヘッド取付け穴６との隙間にはシーリングプレート４を装着している。
【００１０】
火災が発生して温度が上昇すると、スプリンクラーヘッド３の感熱部が熔解分解して、デフレクターが落下し、消火ポンプで加圧した消火用水が散水される。スプリンクラーヘッド３の上部にはねじ部７が一体に形成され、ねじ部７にはフレキシブル管９に接続したエルボ継手８の下向きの先端が接続される。フレキシブル管９は、天井内に配管した給水用枝管から分岐接続されている。
【００１１】
図２は、巻出し管として使用するフレキシブル管９とエルボ継手８を取出して示す。図２において、フレキシブル管９には軸方向に複数個のベローズ１２が形成され、ベローズ１２が形成された箇所において屈曲可能となっている。フレキシブル管９の一方の管末にはねじ部１３が形成されたニップル１４が設けられ、袋ナット１７でニップル１４をねじ込み固定している。このニップル１４のねじ部１３を給水用枝管に設けるチーズ等の分岐継手の取出口にねじ込むことで分岐接続される。このようなフレキシブル管９を用いることにより、必要な箇所において屈曲させることができ、スプリンクラー配管の巻出し配管の施工が容易になる。
【００１２】
また、フレキシブル管９の他方の管末には、エルボ継手８の一方が溶接等により一体に接続固定されている。一体にすることにより扱い易く作業性が良くなる。尚、エルボ継手の一方に、ねじを形成し、フレキシブル管９の他方巻末にねじ込み固定するようにしても良い。
図３はフレキシブル管９の天井スラブ面２に対する取付け状態を示した図である。図３に示すように、天井スラブ面２の近傍には水平方向に逆オーム状のサドル１８によりフレキシブル管９が支持される。すなわち、図４に示すように、天井スラブ面２にはサドル１８がインサートにねじ込まれたボルト１９により固定され、サドル１８にはフレキシブル管９が挿入、支持される。また、サドル１８とフレキシブル管９の間にはゴム等でなる絶縁部材１８ａが介装され、電蝕の防止が図れている。また、サドル１８でフレキシブル管９の途中を天井スラブ面２に支持することで従来の吊りバンド、吊りボルトを使った支持構造に比べ、高さを低く抑えることができる。このフレキシブル管９のニップル１４側は例えば図示しない複数の接続口を有する分岐継手に接続され、また、分岐継手は給水用枝管に接続され、さらに給水用枝管は消火ポンプに接続される給水用主管に接続される。尚、サドル１８の形状を略α状として１箇所で天井スラブ面２に固定するようにしても良い。
【００１３】
再び図１を参照するに、スプリンクラーヘッド３のねじ部７に接続されるエルボ継手８の下向きの先端側には、天井スラブ面２に固定される吊りボルト２１に固定するための固定部材２０が溶接等により固着されている。固定部材２０は、図５に示すように、吊りボルト２１を垂直方向に貫通する穴２２を有する貫通部２３と、貫通部２３を吊りボルト２１に所定位置で固定する固定部としてのねじ部２４により構成される。固定部材２０はエルボ継手８の一端に溶接され、貫通部２３に吊りボルト２１を貫通して、エルボ継手８の位置を調整して貫通部２３をねじ部２４で締めつけることにより、エルボ継手８は吊りボルト２１に固定される。このようにすることで、エルボ継手８およびフレキシブル管９の垂直方向の位置調整を天井裏の高さに合わせて容易に行うことができる。
【００１４】
再び図１を参照するに、２６は水平調整機構としての水平調整プレートであり、水平調整プレート２６は天井スラブ面２に水平方向に３６０°移動可能に取り付けられ、エルボ継手８の水平方向の位置調整を行う。水平調整プレート２６は、図６にも示すように、一端側に吊りボルト２１をねじ込み固定するねじ穴２９と他端に天井スラブ面２のインサートにねじ込み固定されるボルト２７を挿通するための長穴２８とを有する。水平調整プレート２６の端部には略台形状の突出部３０が形成され、突出部３０にはねじ穴２９が形成される。ねじ穴２９には吊りボルト２１の端部がねじ込まれ、ナット３２の締付けにより緩み止めされた状態で吊りボルト２１は水平調整プレート２０に固定される。また、長穴２８が形成された水平調整プレート２６の天井スラブ面２側の裏面には滑り止めのために複数の凹凸部３１が形成されている。長穴２８を介してボルト２７を天井スラブ面２のインサートにねじ込むことで、水平調整プレート２６は、天井スラブ面２に固定される。水平調整プレート２６は、ボルト２７を支点に３６０°回転すると共に長穴２８の長さ分水平方向に移動する。したがって、水平調整プレート２６の突出部３０に固定されている吊りボルト２１に固定されるエルボ継手８およびエルボ継手８に接続されるスプリンクラーヘッド３も、この範囲で水平方向に移動可能であり、この範囲内の任意位置にスプリンクラーヘッド３を配設することができるので、施工が容易である。
【００１５】
次に、フレキシブル管９とエルボ継手８よりなる巻出し配管の取付作業について説明する．
まず、天井スラブ面２に対して吊りボルト２１を水平調整プレート２６により水平回り位置調整自在に固定する。すなわち、水平調整プレート２６の長穴２８にボルト２７を挿通し、天井スラブ面２のインサートにねじ込み、水平調整プレート２７を固定する。この場合、ボルト２７のインサートへのねじ込みによる締付けはあまり強固には行わず、水平調整プレート２６が水平方向に３６０°回転すると共に長穴２８内で移動できるようにしておく。
【００１６】
次に、ねじ穴２９に吊りボルト２１をねじ込み、ナット３２を強固に締め付けることで、吊りボルト２１を天井スラブ面２に固定する。この状態で、吊りボルト２１を水平方向に３６０°回転させてスプリンクラーヘッド３の配設する位置へ移動する。
次に、エルボ継手８の管末を固定部材２０により垂直方向に位置調整自在に吊りボルト２１に固定する。すなわち、天井スラブ面２に固定された吊りボルト２１を貫通部２３の穴２２に貫通し、垂直方向に位置決めを行った後にねじ部２４をねじ込み、貫通部２３を吊りボルト２１に固定する。
【００１７】
最後に、ボルト２７を強固に締め付けることで水平調整プレートを確実に固定する。
このように、エルボ継手８の下向きの先端側で巻出し配管を天井スラブ面２に吊りボルト２１により支持したため、天井ボード１と天井スラブ面２の使用空間の高さを低く抑えることができる。特にフレキシブル管９から天井スラブ面２までの高さはほぼなくすことができる。
【００１８】
このため、天井ボード１と天井スラブ面２の間の高さ寸法は最低で１００ｍｍ程度とすることができる。
また、エルボ継手８に設けられる固定部材２０の貫通部２３に吊りボルト２１を貫通して垂直方向の位置調整を行ってねじ部２４で締め付けるといった容易な作業でエルボ継手８、フレキシブル管９の位置調整を天井裏の高さに合わせて容易に行うことができる。更に、水平調整プレート２６により吊りボルト２１を水平方向に３６０°回転及び長穴２８の長さ分移動させることで任意の位置にスプリンクラーヘッド３を配設することができる。
【００１９】
【発明の効果】
以上説明してきたように、本発明によれば、巻出し配管のスプリンクラーヘッド側の管末で巻出し配管を吊りボルトにより天井スラブ面に支持するため、必要とする天井内の使用空間の高さを低く抑えることができる。また、貫通部と水平調整プレートにより吊りボルトを、垂直方向及び水平方向に移動可能であるため、スプリンクラーヘッドを任意の位置に配設できると共に施工が容易である。
【図面の簡単な説明】
【図１】本発明のスプリンクラー消火設備の巻出し配管支持構造を示した説明図
【図２】図１で使用するフレキシブル管及びエルボ継手の半断面図
【図３】図１のフレキシブル管の取付状態を示す正面図
【図４】図３の断面図
【図５】図２のエルボ継手の平面図
【図６】図１の水平調整プレートの正面図
【図７】従来構造の説明図
【符号の説明】
１：天井ボード
２：天井スラブ面
３：スプリンクラーヘッド
８：エルボ継手
９：フレキシブル管
２０：固定部材
２１：吊りボルト
２２：穴
２３：貫通部
２４：ねじ部（固定部）
２６：水平調整プレート
２８：長穴
２９：ねじ穴
【図１】
0003852056.tif 000002
【図２】
0003852056.tif 000003
【図３】
0003852056.tif 000004
【図４】
0003852056.tif 000005
【図５】
0003852056.tif 000006
【図６】
0003852056.tif 000007
【図７】
0003852056.tif 000008